(57)【要約】【課題】親液性を有するノズル面に活性エネルギー硬化型の液体による液膜層を形成した状態で吐出が行われる液体吐出ヘッドの吐出不良の発生を抑制する。【解決手段】ノズルから液滴を吐出させる噴射パルスＰ１と、噴射パルスＰ１の印加後に液滴を吐出させることなく圧力室の減圧と加圧を行う非噴射パルスＰ２と、を含む駆動信号を供給する。非噴射パルスＰ２の減圧波形部分Ｐ２ａは、吐出後にノズル部のメニスカスが圧力室の方向に向かって移動する期間に、かつ、メニスカスとノズル面の液膜層とがつながっている状態のときに印加される。噴射パルスＰ１の加圧波形部分Ｐ１ａの開始時Ｂから非噴射パルスＰ２の減圧波形部分Ｐ２ａの開始時Ｃまでの時間Ｐｒ、噴射パルスＰ１の電圧Ｖ１に対する非噴射パルスの電圧Ｖ２の比Ｐｖ（＝Ｖ２／Ｖ１）、ヘッド共振周期Ｔｃとするとき、Ｐｒ≦Ｔｃ、０．２５≦Ｐｖ≦０．７５を満たすことが好ましい。【選択図】図８
2014069310.tif 000002
【特許請求の範囲】
【請求項１】
活性エネルギーの照射によって硬化する液体を吐出させるノズルの開口が形成されているノズル面を有し、前記ノズル面が前記液体に対する親液性を示す親液ノズルプレートと、前記ノズルに連通する圧力室と、前記圧力室内の液体を加圧する吐出エネルギー発生素子と、を具備し、前記ノズル面に前記液体による液膜層が形成された状態で前記ノズルから液滴の吐出が行われる液体吐出ヘッドと、
前記液体吐出ヘッドの前記吐出エネルギー発生素子に対して、前記吐出エネルギー発生素子を作動させる駆動信号を供給する駆動信号供給手段と、を備え、
前記駆動信号供給手段は、
前記ノズルから液滴を吐出させる吐出動作を行わせる噴射パルスと、
前記噴射パルスの印加後に前記ノズルから液滴を吐出させることなく前記圧力室の減圧と加圧を行う非噴射パルスと、を含む駆動信号を供給するものであり、
前記非噴射パルスのうち前記圧力室を減圧させる減圧波形部分は、前記噴射パルスの印加によって前記ノズルから液滴が吐出された後に前記ノズルの部分のメニスカスが前記圧力室の方向に向かって移動する期間に、かつ、前記メニスカスと前記ノズル面の前記液膜層とがつながっている状態のときに印加される液体吐出装置。
【請求項２】
前記噴射パルスの前記圧力室を加圧する加圧波形部分の開始時から前記非噴射パルスの前記減圧波形部分の開始時までの時間をＰｒ、前記噴射パルスの電圧Ｖ１に対する前記非噴射パルスの電圧Ｖ２の比（Ｖ２／Ｖ１）をＰｖ、前記液体吐出ヘッドの共振周期をＴｃとするとき、Ｐｒ≦Ｔｃ、０．２５≦Ｐｖ≦０．７５を満たす請求項１に記載の液体吐出装置。
【請求項３】
Ｐｒ＝０．５Ｔｃ、Ｐｖ＝０．５である請求項２に記載の液体吐出装置。
【請求項４】
前記非噴射パルスの印加によって前記ノズルの部分のメニスカスは前記液膜層の液体と共に前記圧力室の方向に引き込まれ、その後前記メニスカスと前記ノズル面の前記液膜層との連結が切れ、前記ノズル内のメニスカスと前記ノズル面を覆う前記液膜層とが分離した非連結状態となる請求項１から３のいずれか１項に記載の液体吐出装置。
【請求項５】
前記非噴射パルスは、前記減圧波形部分の印加後に、前記圧力室を加圧する加圧波形部分を有しており、当該非噴射パルスの加圧波形部分は、前記ノズルの部分の前記メニスカスと前記ノズル面の前記液膜層との連結が切れた非連結状態のときに印加される請求項１から４のいずれか１項に記載の液体吐出装置。
【請求項６】
前記非噴射パルスの加圧波形部分の印加中に前記非連結状態が維持される請求項５に記載の液体吐出装置。
【請求項７】
前記噴射パルスの加圧波形部分を第１の加圧波形部分とするとき、前記噴射パルスは、前記第１の加圧波形部分の前に前記圧力室を減圧させる第１の減圧波形部分を有し、
前記非噴射パルスの減圧波形部分を第２の減圧波形部分、前記非噴射パルスの加圧波形部分を第２の加圧波形部分とするとき、
前記第２の減圧波形部分の開始から終了までの時間は、前記第１の減圧波形部分の開始から終了までの時間よりも長く、
前記第２の加圧波形部分の開始から終了までの時間は、前記第１の加圧波形部分の開始から終了までの時間よりも長い請求項５又は６に記載の液体吐出装置。
【請求項８】
前記液体吐出ヘッドのノズルから吐出され、媒体上に付着させた前記液体に前記活性エネルギーを照射する活性エネルギー照射部を備える請求項１から７のいずれか１項に記載の液体吐出装置。
【請求項９】
前記媒体に対して前記液体吐出ヘッド及び前記活性エネルギー照射部を前記媒体に対して相対移動させる相対移動機構を備える請求項８に記載の液体吐出装置。
【請求項１０】
活性エネルギーの照射によって硬化する液体を吐出させるノズルの開口が形成されているノズル面を有し、前記ノズル面が前記液体に対する親液性を示す親液ノズルプレートと、前記ノズルに連通する圧力室と、前記圧力室内の液体を加圧する吐出エネルギー発生素子と、を具備し、前記ノズル面に前記液体による液膜層が形成された状態で前記ノズルから液滴の吐出が行われる液体吐出ヘッドの前記吐出エネルギー発生素子に対して、前記吐出エネルギー発生素子を作動させる駆動信号を供給する液体吐出ヘッドの駆動装置であって、
前記ノズルから液滴を吐出させる吐出動作を行わせる噴射パルスと、
前記噴射パルスの印加後に前記ノズルから液滴を吐出させることなく前記圧力室の減圧と加圧を行う非噴射パルスと、を含み、
前記非噴射パルスのうち前記圧力室を減圧させる減圧波形部分は、前記噴射パルスの印加によって前記ノズルから液滴が吐出された後に前記ノズルの部分のメニスカスが前記圧力室の方向に向かって移動する期間に、かつ、前記メニスカスと前記ノズル面の前記液膜層とがつながっている状態のときに印加される駆動信号を供給する液体吐出ヘッドの駆動装置。
【請求項１１】
活性エネルギーの照射によって硬化する液体を吐出させるノズルの開口が形成されているノズル面を有し、前記ノズル面が前記液体に対する親液性を示す親液ノズルプレートと、前記ノズルに連通する圧力室と、前記圧力室内の液体を加圧する吐出エネルギー発生素子と、を具備する液体吐出ヘッドの前記吐出エネルギー発生素子に駆動信号を供給して吐出動作を行わせる液体吐出ヘッドの駆動方法であって、
前記ノズル面に前記液体による液膜層が形成された状態で前記吐出エネルギー発生素子に前記ノズルから液滴を吐出させる噴射パルスを印加する工程と、
前記噴射パルスの印加後に前記ノズルから液滴を吐出させることなく前記圧力室の減圧と加圧を行う非噴射パルスを印加する工程と、を含み、
前記噴射パルスの印加によって前記ノズルから液滴が吐出された後に前記ノズルの部分のメニスカスが前記圧力室の方向に向かって移動する期間に、かつ、前記メニスカスと前記ノズル面の前記液膜層とがつながっている状態のときに、前記非噴射パルスのうち前記圧力室を減圧させる減圧波形部分を印加して前記液膜層の液体を前記圧力室の方向に吸引する液体吐出ヘッドの駆動方法。
【発明の詳細な説明】
【技術分野】
【０００１】
本発明は液体吐出装置、液体吐出ヘッドの駆動装置及び方法に係り、特に、紫外線などの活性エネルギーの照射によって硬化する液体を用いる液体吐出ヘッドの駆動制御技術に関する。
【背景技術】
【０００２】
紫外線や電子線などの活性エネルギーの照射によって硬化するインクを用いた活性エネルギー硬化型インクジェット記録装置が知られている（特許文献１）。特許文献１には、活性エネルギー照射手段からの迷光が隣接のインクジェトヘッドのノズル部に照射されることにより、インクが固化してノズルが使用不能（不吐出ノズル）になるという問題を指摘している。
【０００３】
この問題に対処するため、特許文献１に記載の装置では、記録媒体の搬送方向に対し、活性エネルギー照射手段のすぐ上流あるいは下流の少なくとも一方で記録媒体の搬送方向を上下方向に変える搬送方向転換手段を具備する記録媒体搬送手段の構成を提案している。引用文献１によれば、記録媒体の搬送路において、記録媒体に向けてインクジェットヘッドからインクの吐出を行う部分と、インク吐出後に記録媒体に活性エネルギーを照射する部分とに高低差を与える記録媒体搬送手段が採用されている。これにより、活性エネルギー照射手段をインクジェットヘッドから遠ざける位置に設置することができ、迷光がノズル部に届かなくなるため、ノズル内のインクの固化が回避される。
【０００４】
引用文献１に記載の技術の他、ノズル内のインクを常に良好な状態に保つためにインクの増粘や乾燥を防止する技術として、ヘッドのノズル面近傍の雰囲気を湿潤状態とする加湿手段を備える構成が知られている（特許文献２）。特許文献２には、ノズル面の近傍を加湿する加湿手段と、ノズルから押し出されたノズル面に広がる液体でノズル面を濡らすように流路の圧力を調整する圧力調整手段とを備えた液体吐出装置が開示されている。
【０００５】
引用文献２によれば、ノズル面が親液処理されており、圧力調整手段によりノズルから押し出された液体がノズル面に濡れ広がり、ノズル面に液膜層が形成されるとともに、加湿手段によってノズル面近傍が加湿される。これらの相乗効果により、ノズル面の近傍の雰囲気を迅速に湿潤な状態とすることができ、吐出不良を防止することができる。
【先行技術文献】
【特許文献】
【０００６】
【特許文献１】特開２００７−２１０２４４号公報
【特許文献２】特開２００６−２８１５３９号公報
【発明の概要】
【発明が解決しようとする課題】
【０００７】
しかしながら、紫外線硬化型インクを用いる液体吐出装置に引用文献２に記載の構成を適用し、親液性のノズル面に紫外線硬化型インクを濡れ広がらせることでノズル面にインク膜層を形成する場合、紫外線光源からの漏れ光によってノズル面のインク膜層が硬化し、ノズル詰まりを発生させてしまう（不吐出ノズルが発生する）という課題がある。
【０００８】
また、ノズル面を覆うインク膜層の膜厚が必要以上に厚くなり過ぎると、インクジェットヘッドをスキャン移動（走査移動）させたときに、ノズル面のインクがノズル孔の位置に移動してノズルを塞いでしまい、不吐を発生させることがある。
【０００９】
その一方で、特許文献１に記載された構成を採用すると、記録媒体の搬送路を上方向及び下方向へ変化させる複雑な搬送機構が必要になり、システム構成が複雑なものとなる。このため特許文献１に開示のシステムを実現するにはコストが大きくなってしまう。
【００１０】
本発明はこのような事情に鑑みてなされたものであり、上記の課題を解決し、吐出不良の発生を抑制することができる液体吐出装置、液体吐出ヘッドの駆動装置及び方法を提供することを目的とする。
【課題を解決するための手段】
【００１１】
上記の課題を解決するために、次の発明を提供する。
【００１２】
（第１態様）：活性エネルギーの照射によって硬化する液体を吐出させるノズルの開口が形成されているノズル面を有し、ノズル面が液体に対する親液性を示す親液ノズルプレートと、ノズルに連通する圧力室と、圧力室内の液体を加圧する吐出エネルギー発生素子と、を具備し、ノズル面に液体による液膜層が形成された状態でノズルから液滴の吐出が行われる液体吐出ヘッドと、液体吐出ヘッドの吐出エネルギー発生素子に対して、吐出エネルギー発生素子を作動させる駆動信号を供給する駆動信号供給手段と、を備え、駆動信号供給手段は、ノズルから液滴を吐出させる吐出動作を行わせる噴射パルスと、噴射パルスの印加後にノズルから液滴を吐出させることなく圧力室の減圧と加圧を行う非噴射パルスと、を含む駆動信号を供給するものであり、非噴射パルスのうち圧力室を減圧させる減圧波形部分は、噴射パルスの印加によってノズルから液滴が吐出された後にノズルの部分のメニスカスが圧力室の方向に向かって移動する期間に、かつ、メニスカスとノズル面の液膜層とがつながっている状態のときに印加される液体吐出装置を提供する。
【００１３】
かかる態様によれば、非噴射パルスの減圧波形部分の印加により、メニスカスの圧力室方向への移動が促進され、メニスカスの引き込みとともに液膜層の液体が圧力室側に吸引される。これにより、液膜層の液量を減少させることができる。
【００１４】
（第２態様）：第１態様に記載の液体吐出装置において、噴射パルスの圧力室を加圧する加圧波形部分の開始時から非噴射パルスの減圧波形部分の開始時までの時間をＰｒ、噴射パルスの電圧Ｖ１に対する非噴射パルスの電圧Ｖ２の比（Ｖ２／Ｖ１）をＰｖ、液体吐出ヘッドの共振周期をＴｃとするとき、Ｐｒ≦Ｔｃ、０．２５≦Ｐｖ≦０．７５を満たす構成とすることが好ましい。
【００１５】
（第３態様）：第２態様に記載の液体吐出装置において、Ｐｒ＝０．５Ｔｃ、Ｐｖ＝０．５である構成が好ましい。
【００１６】
（第４態様）：第１態様から第３態様のいずれか１項に記載の液体吐出装置において、非噴射パルスの印加によってノズルの部分のメニスカスは液膜層の液体と共に圧力室の方向に引き込まれ、その後メニスカスとノズル面の液膜層との連結が切れ、ノズル内のメニスカスとノズル面を覆う液膜層とが分離した非連結状態となる構成とすることができる。
【００１７】
（第５態様）：第１態様から第４態様のいずれか１項に記載の液体吐出装置において、非噴射パルスは、減圧波形部分の印加後に、圧力室を加圧する加圧波形部分を有しており、当該非噴射パルスの加圧波形部分は、ノズルの部分のメニスカスとノズル面の液膜層との連結が切れた非連結状態のときに印加される構成とすることが好ましい。
【００１８】
（第６態様）：第５態様に記載の液体吐出装置において、非噴射パルスの加圧波形部分の印加中に非連結状態が維持される構成とすることが好ましい。
【００１９】
（第７態様）：第５態様又は第６態様に記載の液体吐出装置において、噴射パルスの加圧波形部分を第１の加圧波形部分とするとき、噴射パルスは、第１の加圧波形部分の前に圧力室を減圧させる第１の減圧波形部分を有し、非噴射パルスの減圧波形部分を第２の減圧波形部分、非噴射パルスの加圧波形部分を第２の加圧波形部分とするとき、第２の減圧波形部分の開始から終了までの時間は、第１の減圧波形部分の開始から終了までの時間よりも長く、第２の加圧波形部分の開始から終了までの時間は、第１の加圧波形部分の開始から終了までの時間よりも長い構成とすることができる。
【００２０】
この態様によれば、非噴射パルスの印加による緩やかな減圧と緩やかな加圧が可能であり、ノズル面から液体をより多く吸引できるとともに、吸引後にメニスカスを不必要に振動させることがない。
【００２１】
（第８態様）：第１態様から第７態様のいずれか１項に記載の液体吐出装置において、液体吐出ヘッドのノズルから吐出され、媒体上に付着させた液体に活性エネルギーを照射する活性エネルギー照射部を備える構成とすることができる。
【００２２】
（第９態様）：第８態様に記載の液体吐出装置において、媒体に対して液体吐出ヘッド及び活性エネルギー照射部を媒体に対して相対移動させる相対移動機構を備える構成とすることができる。
【００２３】
（第１０態様）：活性エネルギーの照射によって硬化する液体を吐出させるノズルの開口が形成されているノズル面を有し、ノズル面が液体に対する親液性を示す親液ノズルプレートと、ノズルに連通する圧力室と、圧力室内の液体を加圧する吐出エネルギー発生素子と、を具備し、ノズル面に液体による液膜層が形成された状態でノズルから液滴の吐出が行われる液体吐出ヘッドの吐出エネルギー発生素子に対して、吐出エネルギー発生素子を作動させる駆動信号を供給する液体吐出ヘッドの駆動装置であって、ノズルから液滴を吐出させる吐出動作を行わせる噴射パルスと、噴射パルスの印加後にノズルから液滴を吐出させることなく圧力室の減圧と加圧を行う非噴射パルスと、を含み、非噴射パルスのうち圧力室を減圧させる減圧波形部分は、噴射パルスの印加によってノズルから液滴が吐出された後にノズルの部分のメニスカスが圧力室の方向に向かって移動する期間に、かつ、メニスカスとノズル面の液膜層とがつながっている状態のときに印加される駆動信号を供給する液体吐出ヘッドの駆動装置を提供する。
【００２４】
第１０態様載の液体吐出ヘッドの駆動装置について、第２態様から第９態様に記載の特定事項と同様の特定事項を適宜組み合わせることができる。
【００２５】
（第１１態様）：活性エネルギーの照射によって硬化する液体を吐出させるノズルの開口が形成されているノズル面を有し、ノズル面が液体に対する親液性を示す親液ノズルプレートと、ノズルに連通する圧力室と、圧力室内の液体を加圧する吐出エネルギー発生素子と、を具備する液体吐出ヘッドの吐出エネルギー発生素子に駆動信号を供給して吐出動作を行わせる液体吐出ヘッドの駆動方法であって、ノズル面に液体による液膜層が形成された状態で吐出エネルギー発生素子にノズルから液滴を吐出させる噴射パルスを印加する工程と、噴射パルスの印加後にノズルから液滴を吐出させることなく圧力室の減圧と加圧を行う非噴射パルスを印加する工程と、を含み、噴射パルスの印加によってノズルから液滴が吐出された後にノズルの部分のメニスカスが圧力室の方向に向かって移動する期間に、かつ、メニスカスとノズル面の液膜層とがつながっている状態のときに、非噴射パルスのうち圧力室を減圧させる減圧波形部分を印加して液膜層の液体を圧力室の方向に吸引する液体吐出ヘッドの駆動方法を提供する。
【００２６】
第１１態様の液体吐出ヘッドの駆動方法について、第２態様から第９態様に記載の特定事項と同様の特定事項を適宜組み合わせることができる。その際、部材、又は機能部として特定されている要素は、これに対応する動作や工程として特定される。
【発明の効果】
【００２７】
本発明によれば、親液性を有するノズル面に活性エネルギー硬化型の液体による液膜層を形成した状態で吐出が行われる液体吐出ヘッドの吐出不良の発生を抑制することができる。
【図面の簡単な説明】
【００２８】
【図１】本発明の実施形態に係る液体吐出装置の構成を示すブロック図
【図２】インクジェットヘッドの内部構造の一例を示す断面図
【図３】ノズル部分の拡大断面図
【図４】ノズル面に液膜層を形成する際の圧力調整処理の概略を示すフローチャート
【図５】ノズル面に液膜層を形成する際のメニスカス（気液界面）の状態を示す模式図
【図６】駆動パルスを加えたときの時間に対するメニスカスの振動を示す図
【図７】メニスカスの挙動を示す模式図
【図８】本実施形態による駆動信号の例を示す波形図
【図９】噴射パルスの加圧波形部分の開始点から非噴射パルスの減圧波形部分の開始点までの時間（Ｐｒ）を変化させたときの連続吐出時間に対する不吐出ノズル数の関係を示すグラフ
【図１０】Ｐｒとノズル面上のインク膜厚の関係を示すグラフ
【図１１】噴射パルスに対する非噴射パルスの電圧量の比（Ｐｖ）を変化させたときの連続吐出時間に対する不吐出ノズル数の関係を示すグラフ
【図１２】本発明の実施形態に係るインクジェット記録装置の外観斜視図
【図１３】インクジェット記録装置における記録媒体搬送路を模式的に示す説明図
【図１４】キャリッジ上に配置されるインクジェットヘッドと硬化用光源の配置形態の例を示す平面透視図
【図１５】図１４の斜視図
【図１６】図１６（ａ）はインクジェットヘッドのノズル配置例を示す平面透視図、図１６（ｂ）は他のノズル配置例を示す平面透視図
【図１７】インクジェット記録装置の制御系の要部構成を示すブロック図
【発明を実施するための形態】
【００２９】
以下、添付図面に従って本発明の実施形態について詳細に説明する。
【００３０】
〔液体吐出装置の構成〕
図１は本発明の実施形態に係る液体吐出装置の構成を示すブロック図である。本例に示す液体吐出装置１０は、インクジェット方式により滴状の液体（液滴）を吐出させるインクジェットヘッド１２（「液体吐出ヘッド」に相当）と、このインクジェットヘッド１２に駆動信号を供給して、インクジェットヘッド１２の吐出動作を制御する駆動装置１４（「駆動信号供給部」に相当）と、を含んで構成される。
【００３１】
本例のインクジェットヘッド１２は、圧電駆動方式（ピエゾジェット方式）が適用される。すなわち、インクジェットヘッド１２は、液滴を吐出させる際の吐出エネルギーを発生させる加圧源となる圧電アクチュエータ１６を備えており、駆動装置１４から供給される駆動信号に応じて圧電アクチュエータ１６が動作して、ノズルから液滴が吐出される。詳細は後述するが（図２参照）、インクジェットヘッド１２は、液滴の吐出口となるノズル２８と、該ノズル２８と連通する圧力室２６と、圧力室２６内のインクを加圧して吐出力を発生させる圧電アクチュエータ１６と、圧力室２６にインクを供給するための流路等を備えている。説明の便宜上、１つのノズル２８について説明するが、インクジェットヘッド１２は複数のノズル２８を有し、各ノズル２８に対応して圧力室２６及び圧電アクチュエータ１６を複数備えている。
【００３２】
駆動装置１４は、圧電アクチュエータ１６に印加する駆動信号の元になる基本駆動波形を発生させる波形発生器１８と、複数のノズルの中から液滴を吐出させるノズルを選択するためのノズル選択信号及びそのノズルから吐出させる液滴量（ドットサイズ）に応じた波形選択信号を発生させる信号発生部２０と、信号発生部２０から出力される波形選択信号及びノズル選択信号に基づいて、対応する圧電アクチュエータ１６に対し、基本駆動波形から液滴量に応じた駆動信号を供給するように印加する信号を選択する信号選択部２２と、を含んで構成される。
【００３３】
本実施形態に示す液体吐出装置１０は、圧電アクチュエータ１６に印加する駆動波形を変えることにより、液滴量の異なる複数種類のドットを形成することができる。
【００３４】
例えば、小滴、中滴、大滴の３種類のドットサイズを記録媒体（打滴対象物）に打滴可能に構成する場合、波形発生器１８で生成される基本駆動波形は、小滴、中滴、大滴の全種類の吐出用駆動波形を内包した波形とすることができる。基本駆動波形を構成している複数の波形要素の一部を取り除く（或いは切り出す）ことによって各滴種の吐出用の駆動波形を得ることができる。本発明の実施に際して、液滴量（ドットサイズ）の種類数は３種類に限定されない。１種類以上、任意の種類数の液滴量によるドットを形成し得る構成とすることができる。
【００３５】
本例の液体吐出装置１０は、複数のノズルのそれぞれに対応して設けられる圧電アクチュエータ１６に接続される信号選択部（例えば、スイッチ素子）２２に対して、波形発生器１８から共通の基本駆動波形が供給され、信号発生部２０から送り出されるノズル選択信号と波形選択信号に基づいて信号選択部２２が制御されることにより、対応する圧電アクチュエータ１６への駆動電圧の印加／非印加が制御される。こうして、吐出が行われるノズルが選択され、その選択されたノズルに対応する圧電アクチュエータ１６のみに、波形選択信号で規定される滴種に応じた駆動信号が印加される。
【００３６】
なお、インクジェットヘッド１２と駆動装置１４とを別々の構成として、フレキシブル基板などの配線部材を用いて接続してもよいし、インクジェットヘッド１２と駆動装置１４とを一体構成としてもよい。また、駆動装置１４の一部（例えば、信号選択部２２として機能するスイッチＩＣ）をインクジェットヘッド１２に搭載する構成も可能である。
【００３７】
＜インクジェットヘッドの構成＞
図２はインクジェットヘッド１２の内部構造の一例を示す断面図である。ここでは、記録素子単位となる１チャンネル（１ノズル）分の液滴吐出素子（「イジェクタ」ともいう。）が図示されている。
【００３８】
同図に示すインクジェットヘッド１２は、ノズル２８が形成されたノズルプレート３６と、圧力室２６、供給口３０、共通流路３２等の流路構造が形成された流路板３８等を積層接合した構造となっている。
【００３９】
流路板３８は、圧力室２６の側壁部を構成するとともに、共通流路３２から圧力室２６に液体を導く個別供給路の絞り部（最狭窄部）をしての供給口３０が形成される流路形成部材である。説明の便宜上図２では簡略的に示しているが、流路板３８は１枚又は複数枚の基板を積層した構造で構成される。例えば、ノズルプレート３６及び流路板３８は、シリコンを材料として、半導体製造プロセスによって所要の形状に加工することができる。
【００４０】
共通流路３２は、インク供給源たるインクタンク（不図示）と連通しており、インクタンクから供給されるインクは共通流路３２を介して各圧力室２６に供給される。本実施形態で用いるインクは、紫外線の照射によって硬化する性質を持つ紫外線硬化型インク（いわゆるＵＶインク）である。
【００４１】
圧力室２６の一部の面（図２において天面）を構成する振動板４０には、個別電極（上部電極）４２と下部電極４４との間に圧電体４６が挟まれた構造を有する圧電素子２７が接合されている。振動板４０を金属薄膜や導電性金属酸化膜により構成すると、圧電素子２７の下部電極４４に相当する共通電極として機能する。なお、樹脂などの非導電性材料によって振動板を形成する態様も可能であり、この場合は、振動板部材の表面に金属などの導電材料による共通電極層が形成される。
【００４２】
個別電極４２に駆動電圧（駆動信号）を印加することによって圧電素子２７が変形して圧力室２６の容積が変化し、これに伴う圧力変化によりノズル２８からインクが吐出される。ノズル２８からインク滴が吐出されると、共通流路３２から供給口３０を介して圧力室２６へインクが充填（リフィル）される。
【００４３】
図１に示した圧電アクチュエータ１６は、図２の圧電素子２７及び振動板４０が含まれる構成となっており、駆動信号の印加に応じて圧力室２６の加圧と減圧を行い、圧力室２６内の液体に吐出圧力を発生させる圧力発生源となっている。圧電アクチュエータ１６又は圧電素子２７が「吐出エネルギー発生素子」に相当する。なお、本例では、薄膜の圧電体４６を用いたユニモルフ圧電アクチュエータを例示しているが、圧電アクチュエータ１６は、図２の振動板４０が省略された態様（例えば、２枚の圧電素子を積層させたバイモルフ構造）も可能である。
【００４４】
ノズルプレート３６の吐出面側（図２において下面側）はインクジェットヘッド１２のノズル面３４を構成する。ノズル面３４には、各圧力室２６にそれぞれ連通する複数のノズル２８の開口が所定の配列パターンで形成されている。
【００４５】
ノズルプレート３６の材料について、特に限定はなく、プラスチック樹脂、シリコン（Ｓｉ）、ステンレス鋼（ＳＵＳ）など、各種の材料を選択できる。ノズル面３４には、インクの接触角が所定の角度以下となる親液処理（親インク処理）が施されている。例えば、インクの溶媒の主成分が水であるとき、ノズルプレート３６の吐出面側に、酸処理、プラズマ処理などによって表面に極性基を生成させることで、ノズルプレート３６表面を親水化させる（親水性上面処理を行う）。また、酸化物微粒子が分散したゾルをノズルプレート３６表面に塗布し、ノズルプレート３６表面に酸化物層を形成させてもよい。なお、ノズル面３４が親液性を有する素材で形成されている場合には、特に親液処理を施さなくてもよい。親液（親水）処理の実施の有無によらず、ノズル面３４が目的の親液性能を有していればよい。親水性の目安として、例えば、物体表面（ここではノズル面）に対する水の接触角（対水接触角）が４０度以下のものは親水性の表面であるとされる。接触角が小さいほど親水性に優れる。好ましくは対水接触角が３０度以下、より好ましくは２０度以下、さらに好ましくは１０度以下のノズル面３４とする。
【００４６】
このように、インクジェットヘッド１２は、ノズル面３４がインクに対する親液性を示すため、ノズル２８からインク５０をゆっくりと押し出すことにより、ノズル面３４にインク５０が濡れ広がり、ノズル面３４にインクの液膜層５２が形成される（図３参照）。
【００４７】
なお、一般的なインクジェットヘッドでは、ノズル面の全体が撥液性を有しており、ノズルからのインク吐出時にインクミスト（インク滴がメニスカスから分離して、ちぎれる際に発生する微小なミスト状の微液滴）がノズル面に付着、堆積し、これが固化して不吐出や飛翔曲がりなどの吐出不良を引き起こすという問題がある。
【００４８】
この点、本実施形態の親液性を示すノズル面３４を有するノズルプレート３６の場合、このようなインクミストが発生した場合でも、ノズル面３４を覆う液膜層５２がインクミストを吸収する。これにより、インクミストの堆積、固化による吐出不良の発生を回避できるという利点がある。また、本実施形態によれば、ブレードや払拭ウェブなどの払拭部材をノズル面３４に接触させてノズル面３４の清掃を行う場合、液膜層５２によってウェット状態でワイピングすることができる。これにより、清掃性の向上及びノズル面のワイピング耐久性を高めることができる。
【００４９】
＜ノズル面３４に液膜層５２を形成する方法について＞
本実施形態の液体吐出装置１０は、インクジェットヘッド１２のノズル２８から緩やかに押し出されるインクでノズル面３４の全体を濡らすように、インクジェットヘッド１２の内圧が制御される。インクジェットヘッド１２の内圧を制御する手段としては、特許文献２に記載の公知の手段を採用することができる。例えば、インクジェットヘッド１２のノズル面３４の高さとインクタンクのインク液面高さの水頭差を利用する態様、インクタンクからインクジェットヘッドにインクを供給するポンプによって圧力調整を行う態様、ヘッド内部の流路や液室（例えば、全ノズルに繋がる共通液室など）の容積を変化させることによって圧力調整を行う態様など、様々な手段を採用し得る（特許文献２参照）。
【００５０】
一例として、本実施形態では、インクタンクを上下に移動させる機構（タンク上下動装置）によって、インクタンクの液面の高さ（揚水高さ）を調整し、これによってインクジェットヘッド１２の内圧を設定する。なお、インクタンクは、インクジェットヘッド１２に供給されるインクを貯蔵するものである。インクタンクは、メインタンクと呼ばれるようなインク供給源である主たるタンクであってもよいし、サブタンクと呼ばれるような補助的なタンクであってもよい。サブタンクは、メインタンクとインクジェットヘッド１２との間に設けられたインク貯留部、若しくは、バッファタンクなどを含む。
【００５１】
図４はノズル面３４に液膜層５２を形成する際の圧力調整処理の概略を示すフローチャートである、図５はインクジェットヘッド１２におけるノズル部分のメニスカス（気液界面）の状態を示す模式図である。
【００５２】
液体吐出装置１０の電源がオフの状態（初期状態）では、インクジェットヘッド１２の内圧が負圧状態に設定されており、図５（ａ）に示されるように、ノズル２８のメニスカス６２は、圧力室側に窪んだ凹状態となっている。このように負圧状態にあるときのインクタンクの液面高さを「負圧位置」という。
【００５３】
液体吐出装置１０が電源オンされると、タンク上下動装置を上昇方向に作動させてインクタンクの液面高さを徐々に高くしていき、インクタンクの液面高さを負圧位置から正圧状態の高さ（「正圧位置」という。）に設定する（図４のステップＳ１）。
【００５４】
例えば、１秒間の間に負圧位置から正圧位置になるまで徐々にインクタンクを上昇させる。インクタンクが徐々に上昇することにより、インクジェットヘッド１２の内圧が所定の負圧から所定の正圧に緩やかに変化する。インクタンクの液面の高さが負圧位置から正圧位置に設定されることにより、ヘッド内の共通流路３２の内圧が緩やかに上昇し、共通流路３２に連通している各圧力室２６の内圧が圧力室２６間で均等にかつ緩やかに上昇する。これにより、各圧力室２６に連通している各ノズル２８の内圧が一斉に（すべてのノズル２８で均等に）かつ緩やかに上昇することになる。
【００５５】
こうして、全てのノズル２８のメニスカス６２は、図５（ａ）の凹状態から図５（ｂ）に示すようにインクの表面張力によってノズル面３４の外側に向かって盛り上がった状態を経て、図５（ｃ）に示すようにノズル２８から緩やかに押し出されたインクが親液性のノズル面３４上を広がっていき、ノズル面３４を濡らし始める。
【００５６】
そして、図５（ｄ）に示すようにノズル２８から押し出されたインクがノズル面３４上で全てのノズル２８間を濡らして全体的に広がった状態となるように、このような正圧状態を一定時間保つ（図４のステップＳ２）。
【００５７】
その後、タンク上下動装置を下降方向に作動させ、インクタンクの液面の高さを正圧位置から負圧位置に緩やかに戻す（ステップＳ３）。例えば１秒の間に正圧位置から負圧位置になるまで徐々にインクタンクを下降させる。こうして、インクタンクの液面を負圧位置に戻すとインクジェットヘッド１２の内圧が負圧に戻る。
【００５８】
インクタンクの液面の高さが負圧位置に設定されることにより、共通流路３２に連通している各圧力室２６の内圧が均等に下降して、各ノズル２８の内圧が均等に下降することになる。このようにインクタンクの液面の高さが負圧位置に設定され、共通流路３２に連通している各圧力室２６の内圧が均等に下降して、全てのノズル２８の内圧が下がると、図５（ｅ）に示すようにノズル２８の部分のメニスカス６２は圧力室側に窪んだ凹状態となる。親液性を有するノズル面３４に濡れ広がったインクはノズル面３４の上に１層の液膜として残り、ノズル面３４が液膜層５２で覆われた状態となる。
【００５９】
なお、図５（ｅ）では、ノズル部のメニスカス６２とノズル面３４に広がる液膜層５２とが一体的に繋がっている状態（連結状態）を図示しているが、図５（ｅ）の状態から更にノズル部のメニスカス６２を圧力室側に引き込む負圧を発生させた場合には、ノズル部のメニスカス６２と、ノズル面３４上の液膜層５２との連結が切れて、両者が分離した状態（非連結状態）になる（図７（ｃ）参照）。
【００６０】
＜本実施形態による駆動方法の概要＞
本実施形態のインクジェットヘッド１２は、親液性を有するノズル面３４にＵＶインクによる１層の液膜層５２が形成されている状態でノズル２８からインク液滴の吐出が行われる。このような利用形態のインクジェットヘッド１２を本明細書では、便宜上、「親液ノズルを有するヘッド」と表現する場合がある。
【００６１】
本実施形態は、親液ノズルを有するヘッドにおいて、吐出直後にメニスカスを圧力室２６側に引き込むような非噴射パルスを加えることにより、ノズル面３４から液膜層５２の一部を圧力室２６の方向に吸引させる。このようなノズル面３４からのインク吸引により、吐出動作後は常にノズル面３４の液膜層５２が圧力室２６側に吸い込まれ、ノズル面３４を覆う液膜層５２の厚さが薄く保たれる。
【００６２】
＜ノズル面３４に付与されるインク量の増減メカニズムについて＞
先ず、ノズル面３４に形成される液膜層のインク量の増減メカニズムについて図６及び図７を用いて説明する。図６は親液ノズルを有するヘッドに駆動パルスを加えたときの時間に対するメニスカスの振動を示すものである。横軸は時間（単位は秒）、縦軸はメニスカスの位置を示している。横軸の「Ｅ−０５」とは、１０のマイナス５乗（１０−５）を意味する表記であり、例えば、「１．００Ｅ−０５」は１０μsecを意味している。縦軸のメニスカス位置は、ノズル面３４の高さ位置を原点とし、ノズル２８から記録媒体（メディア）に向かう方向（吐出方向）を正方向とした。
【００６３】
印加する噴射パルスは、いわゆるPull（引き）−Push(押し)の波形であるが、図６では、Push波形要素が入るときのタイミングを時間軸の原点（ｔ＝０）としている。ただし、図６では、実際に液滴を吐出させておらず、ヘッドの固有振動周期（共振周期）でメニスカスが振動する様子を示した。
【００６４】
ｔ＝０で噴射パルスの吐出電圧（押し波形要素）が印加されると、その後メニスカスはメディア（記録媒体）方向に移動する（図６中の［１］の部分）。このとき、図７（ａ）に示すように、インクはノズル２８穴からノズル面３４に溢れ、ノズル面３４上のインク量を増加させる。
【００６５】
実際の吐出動作においては、図６中のＡで示したメニスカス位置が最大となるタイミングで液滴の吐出が行われる（メニスカスから液滴が分離する）。吐出後、メニスカス６２は系の固有振動により圧力室方向に引かれる（後退する）が、最初のうちはノズル面３４のインクとノズル２８内のインクとがつながった状態で圧力室方向に移動する（図６の［２］、図７（ｂ）参照）。この期間にノズル面３４のインクは圧力室２６に戻されることになり、ノズル面３４上のインク量を少なくする。その後、メニスカス６２は圧力室方向に引かれ続ける。メニスカス位置が一旦横ばいに成る瞬間（図３中の［３］）に、ノズル面３４上のインクとノズル２８内のインクメニスカスの連結が切れる（図７（ｃ）参照）。
【００６６】
したがって、図６中の［３］で示したメニスカスの位置が横ばいになる時間以降は、メニスカス６２が圧力室方向に引かれてもノズル面３４上のインクがノズル２８から吸引されることがなく、ノズル面３４上に残るインク量は変化しない。
【００６７】
以上のことから、インク滴の吐出後にノズル面３４上のインク量を効果的に減少させて、ノズル面３４上の液膜層５２の膜厚を薄くするには、図６の［２］で示した時間内でメニスカス６２を圧力室側により多く吸引することが重要である。
【００６８】
＜本実施形態による駆動波形の例＞
図６の［２］で示した時間内のタイミングでメニスカスを効率よく圧力室側に引き込み、その後ノズル面３４にインクを押し出さないような駆動波形の例を図８に示す。図８は本実施形態による駆動信号の例を示す波形図である。
【００６９】
図８に示す駆動波形は、噴射パルスとしての第１パルスＰ１と、非噴射パルスとしての第２パルスＰ２とを含んでいる。第１パルスＰ１は液滴を吐出させるために印加される吐出駆動用のパルスである。第２パルスＰ２は吐出後にノズル面３４からのインク吸引を促進するためのメニスカス吸引用のパルスである。この第２パルスＰ２を印加してもノズルからインク滴は吐出されない。
【００７０】
第１パルスＰ１は、Pull-Pushの吐出駆動波形であり、圧力室２６の体積を拡張させる方向に圧電アクチュエータ１６を変位させる「引き（pull）」動作の駆動を行う第１信号要素Ｐ１ａと、その引き動作で圧力室２６を拡張させた状態を維持（保持）する第２信号要素Ｐ１ｂと、圧力室２６を収縮させる方向に圧電アクチュエータ１６を変位させる「押し（Push）」動作の駆動を行う第３信号要素Ｐ１ｃ（「噴射パルスの加圧波形部分」、「第１の加圧波形部分」に相当）と、を含んで構成される。
【００７１】
本例の場合、第１信号要素Ｐ１ａは基準電位から電位を上げる立ち上がり波形部である。第２信号要素Ｐ１ｂは第１信号要素Ｐ１ａで上昇させた電位（Ｖ１）を維持する波形部、第３信号要素Ｐ１ｃは第２信号要素Ｐ１ｂの電位（Ｖ１）を基準電位に下げる波形部である。なお、Push動作の開始タイミングとなる第３信号要素Ｐ１ｃの始点（図８中「Ｂ」で示したタイミング）が図６の時間軸の原点に対応する。
【００７２】
噴射パルスとして機能する第１パルスＰ１は、第１信号要素Ｐ１ａ、第２信号要素Ｐ１ｂ、第３信号要素Ｐ１ｃによって台形のパルス形状を有しており、第１パルスＰ１の立ち上がりのタイミングから、立ち下がりのタイミングまでの時間Ｔ１（すなわち、電圧上昇時間と電圧保持時間の和）は、インクジェットヘッド１２の共振周期Ｔｃの約１／２に設定されている（Ｔ１＝Ｔｃ／２）。例えば、本例におけるインクジェットヘッド１２の共振周期Ｔｃが約１０μsec（マイクロ秒）であるとするとき、第１パルスＰ１のパルス幅（時間Ｔ１）は、Ｔｃ／２＝５μsecに設定される。
【００７３】
ヘッドの共振周期（ヘルムホルツ周期）Ｔｃとは、インク流路系、インク（音響要素）、圧電素子の寸法、材料、物性値等から定まる振動系全体の固有周期をいう。共振周期Ｔｃは、ヘッドの設計値（使用するインクの物性値を含む）から計算によって求めることができる。また、ヘッドの設計値から推定する方法に限らず、実験によってＴｃを測定する方法もある。例えば、噴射パルスのパルス幅やパルス周期を変えて吐出を行い、滴速や滴量を調べて、極大値が得られる条件を求めることによりＴｃを測定できる。Ｔｃ測定の結果は、測定方法に依存する範囲でばらつきがあるため、共振周期Ｔｃの特定に際しては、ヘッド設計値からの推定（計算）、或いは測定方法など、採用する特定方法の違いに依存する範囲のばらつきが許容されるものとして解釈すべきである。
【００７４】
ピエゾジェット方式のインクジェットヘッド１２の場合、１ノズルの吐出機構は、ノズル２８（吐出口）に連通する圧力室２６に振動板４０を介して圧電素子２７が設けられ、この圧電素子２７を駆動して振動板４０を変位させることにより圧力室２６の容積を変化させ圧力室２６内の液に圧力変動を与え、ノズル２８の開口から液滴の吐出を行う仕組みとなっている。ノズル部のメニスカス６２は共振周期Ｔｃで振動する振動系を構成しており、メニスカスの振動周期に合わせて圧電素子（圧電アクチュエータ１６）に噴射パルスを印加することにより、効率的な吐出駆動が可能である。すなわち、固有振動周期で振動するメニスカスの動きと、駆動波形による引き押しのタイミングを合わせることで、効率的な吐出が可能となる。
【００７５】
第１パルスＰ１の後に続く第２パルスＰ２は、基準電位から電位を上昇させる立ち上がり波形部としての第４信号要素Ｐ２ａ（「非噴射パルスの減圧波形部分」、「第２の減圧波形部分」に相当）と、第４信号要素Ｐ２ａで上昇させた電位（Ｖ２）を基準電位に下げる波形部としての第５信号要素Ｐ２ｃ（「非噴射パルスの加圧波形部分」、「第２の加圧波形部分」に相当）と、を含んでいる。第２パルスＰ２の第４信号要素Ｐ２ａは、図６の［２］で示したタイミングで圧力室２６を緩やかに減圧（拡張）させることでインクの吸引を補助する役割を果たす。その後、第２パルスＰ２の第５信号要素Ｐ２ｃは、図６の［３］のタイミング後に圧力室を緩やかに加圧（収縮）させることで、ノズル面にメニスカスを溢れさせないものとなっている。つまり、第２パルスＰ２の加圧波形部分（第５信号要素Ｐ２ｃ）の印加中にノズル部のメニスカス６２とノズル面３４上の液膜層５２との分離状態（非連結状態）が維持される。
【００７６】
第１パルスＰ１における第１の減圧加圧波形部分（第１信号要素Ｐ１ａ）と第１の加圧波形部分（第３信号要素Ｐ１ｃ）、第２パルスＰ２における第２の減圧波形部分（第４信号要素Ｐ２ａ）と第２の加圧波形部分（Ｐ２ｃ）をそれぞれ比較すると、第２の減圧波形部分（第４信号要素Ｐ２ａ）の開始から終了までの時間は、第１の減圧波形部分（第１信号要素Ｐ１ａ）の開始から終了までの時間よりも長い。また、第２の加圧波形部分（Ｐ２ｃ）の開始から終了までの時間は、第１の加圧波形部分（Ｐ１ｃ）の開始から終了までの時間よりも長い。このような第２パルスを用いることで、緩やかな減圧と緩やかな加圧が実現されている。
【００７７】
第２パルスＰ２の電圧Ｖ２は、(1)当該第２パルスＰ２の印加によってインクを吐出させないこと、(2)パルスを降下させるときに（第５信号要素Ｐ２ｃによって）メニスカスを必要以上に揺らさないこと、という２つの条件を満足させるために、第１パルスＰ１の電圧Ｖ１よりも低く設定される（｜Ｖ２｜＜｜Ｖ１｜）。
【００７８】
図８の例では、Ｖ１＝８０Ｖ（ボルト）、Ｖ２＝４０Ｖとし、第２パルスＰ２の電圧Ｖ２を第１パルスＰ１の電圧の５０％とした。なお、基準電位に対する各パルスＰ１、Ｐ２の電位差（電圧）を「電位振幅」、「パルス振幅」、「波高」という場合がある。
【００７９】
第２パルスＰ２の立ち上がりのタイミングから、立ち下がりのタイミングまでの時間Ｔ２は、インクジェットヘッド１２の共振周期Ｔｃの約１／２に設定されている（Ｔ２＝Ｔｃ／２）。図８の第２パルスＰ２は、第４信号要素Ｐ２ａで上昇させた電圧を保持する信号要素を有していないが（電圧Ｖ２の保持時間がゼロ）、電圧Ｖ２を一定時間保持する信号要素を有していてもよい。
【００８０】
すなわち、第２パルスＰ２の電圧上昇時間（第４信号要素Ｐ２ａの時間）と電圧保持時間（図８の例では電圧保持時間＝０）の合計時間Ｔ２は、共振周期Ｔｃの１／２（本例ではＴｃ／２＝５μsec）となっている。第２パルスＰ２の印加タイミングについては、図６で説明した［２］のタイミングで印加することが要求される。第２パルスＰ２の適切な印加タイミングを把握するために、次のような実験を行った。
【００８１】
＜第２パルスの印加タイミング検証実験（実験１）＞
図８に示した第１パルスＰ１の第３信号要素Ｐ１ｃの始点（図８中のＢ）から第２パルスＰ２の印加開始点（第４信号要素Ｐ２ａの始点、図８中のＣ）までの時間を「Ｐｒ」で表し、このＰｒを変化させたときの連続吐出時間に対する不吐出ノズル数（ノズル抜けの発生数）を調べた。
【００８２】
図９にその実験結果を示す。図９の横軸は連続吐出時間（単位は分）、縦軸は発生したノズル抜け数（不吐出ノズルの発生数）である。この実験はシャトルスキャン式のＵＶ硬化型インクジェットプリンタを用いて、最大濃度（出力濃度指令１００％）のプリント画像印字を３０分間行った。駆動波形及び吐出条件は、第１パルスの電圧Ｖ１＝８０Ｖ、第２パルスの電圧Ｖ２＝５０Ｖ、吐出周波数は３０ｋＨｚとした。ヘッドの共振周期ＴｃはＴｃ＝１０μsecである。
【００８３】
実験に用いたプリンタは、インクジェットヘッドを往復走査させるキャリッジに、硬化光源（記録媒体に着弾したインクに紫外線を照射するための紫外線ＵＶ照射部）が搭載されており、硬化光源と最も近接して配置されているヘッドと硬化光源との間の距離は５ｍｍ（ミリメートル）、最も離れているヘッドとの距離は９ｍｍである。ヘッド及び硬化光源を搭載しているキャリッジの移動速度（シャトル速度）は１ｍ／sec（メートル毎秒）である。また、インクジェットヘッドの総ノズル数は２５６である。
【００８４】
駆動信号として図８に示す波形を用い、Ｐｒを2.5μsec（＝Ｔｃ／４）、5μsec（＝Ｔｃ／２）、7.5μsec（＝Ｔｃ×（３／４））、10μsec（＝Ｔｃ）、12.5μsec（＝Ｔｃ×（５／４））と変化させて、不吐出ノズルの発生数を数えた。
【００８５】
なお、比較例は、図８の波形において第２パルスＰ２を挿入しない波形（第１パルスＰ１のみ）を用いた場合の結果である。
【００８６】
図９に示されているように、Ｐｒ≦Ｔｃの場合に特に良好な結果が得られており、中でもＰｒ＝Ｔｃ／２のときに最も良い結果が得られた。
【００８７】
図１０はＰｒとノズル面上のインク膜厚（液膜層の膜厚）の関係を調べたグラフである。なお、図１０において、Ｐｒ＝０の時のインク膜厚「１１μｍ」という結果は、第２パルスを印加しない比較例によるものである。図１０によれば、Ｐｒが2.5μsec（＝Ｔｃ／４）から10μsec（＝Ｔｃ）の範囲で第２パルスＰ２を印加することによって、インク膜厚を４μｍ以下にすることができている。
【００８８】
実験で用いたプリンタ使用条件では、ノズル抜け数（不吐出ノズル数）の許容上限は「２ノズル」であるため、４μｍ以下が膜厚の許容範囲であり、これを満たすＰｒは、Ｐｒ≦Ｔｃであった。この実験結果からＰｒはヘッドの共振周期Ｔｃ以下であることが好ましく、特にＰｒ＝０．５Ｔｃであることがより好ましい。
【００８９】
＜第２パルスの電圧Ｖ２に関する実験（実験２）＞
第２パルスＰ２の適切な電圧（パルス振幅）を検証するために、第１パルスＰ１の電圧Ｖ１に対して第２パルスＰ２の電圧Ｖ２を変化させたときの連続吐出時間に対するノズル抜け数（不吐出ノズルの発生数）を調べた。実験に用いた装置構成は、［実験１］で説明したものと同じである。実施条件については、第１パルスＰ１の電圧Ｖ１＝８０Ｖ、Ｐｒ＝Ｔｃ／２、吐出周波数は３０ｋＨｚ、連続吐出時間３０分とした。
【００９０】
第１パルスＰ１の電圧Ｖ１に対する第２パルスＰ２の電圧Ｖ２の比（Ｖ２／Ｖ１）をＰｖとし、Ｐｖを百分率で表記した場合に、Ｐｖ＝１０％、２５％、５０％、７５％と変化させて、連続吐出時間とノズル抜け数の関係を調べた。図１１にその実験結果を示す。なお、図１１の「比較例」は、第２パルスを挿入しないものである。
【００９１】
図１１が示すとおり、Ｐｖが２５％以上、７５％以下であるものについて良好な結果が得られている。特に、Ｐｖが５０％のときに、最も良い結果を示した。
【００９２】
この実験結果から、第２パルスＰ２の電圧Ｖ２と第１パルスＰ１の電圧Ｖ１の比Ｐｖ（＝Ｖ２／Ｖ１）は、０．２５≦Ｐｖ≦０．７５を満たすことが望ましい。特に、Ｐｖ＝０．５であることがより好ましい。
【００９３】
＜インクジェット記録装置の構成例＞
次に、液体吐出装置１０の一形態としてのインクジェット記録装置の構成例について説明する。図１２は本発明の実施形態に係るインクジェット記録装置の外観斜視図である。このインクジェット記録装置１１０は、紫外線硬化型インク（ＵＶ硬化インク）を用いて記録媒体１１２上にカラー画像を形成するワイドフォーマットプリンタである。ワイドフォーマットプリンタは、大型ポスターや商業用壁面広告など、広い描画範囲を記録するのに好適な装置である。ここでは、Ａ３ノビ以上に対応するものを「ワイドフォーマット」と呼ぶ。
【００９４】
インクジェット記録装置１１０は、装置本体１２０と、この装置本体１２０を支持する支持脚１２２と、を備えている。装置本体１２０には、記録媒体（メディア）１１２に向けてインクを吐出するドロップオンデマンド型のインクジェットヘッド１２４（「液体吐出ヘッド」に相当）と、記録媒体１１２（「媒体」に相当）を支持するプラテン１２６と、ヘッド移動手段（「相対移動機構」に相当））としてのガイド機構１２８及びキャリッジ１３０が設けられている。インクジェットヘッド１２４は、図１及び図２で説明したインクジェットヘッド１２に相当するものである。
【００９５】
ガイド機構１２８は、プラテン１２６の上方において、記録媒体１１２の搬送方向（Ｘ方向、第１方向）に直交し且つプラテン１２６の媒体支持面と平行な走査方向（Ｙ方向、第２方向）に沿って延在するように配置されている。キャリッジ１３０は、ガイド機構１２８に沿ってＹ方向に往復移動可能に支持されている。キャリッジ１３０には、インクジェットヘッド１２４が搭載されるとともに、記録媒体１１２上のインクに紫外線を照射する仮硬化光源（ピニング光源）１３２Ａ，１３２Ｂと、本硬化光源（キュアリング光源）１３４Ａ，１３４Ｂとが搭載されている。
【００９６】
仮硬化光源１３２Ａ，１３２Ｂは、インクジェットヘッド１２４から吐出されたインク滴が記録媒体１１２に着弾した後に、隣接液滴同士が合一化しない程度にインクを仮硬化させるための紫外線を照射する光源である。仮硬化光源１３２Ａ，１３２Ｂから紫外線が照射されたインクは、着弾干渉を回避するものの、ドット展開がされる（十分に広がることができる）程度に仮硬化する。
【００９７】
本硬化光源１３４Ａ，１３４Ｂは、仮硬化後に追加露光を行い、最終的にインクを完全に硬化（本硬化）させるための紫外線を照射する光源である。本硬化光源１３４Ａ，１３４Ｂは、記録媒体１１２上のインクに仮硬化光源１３２Ａ，１３２Ｂから紫外線を照射した後の追加露光を行い、最終的にインクを完全に硬化（本硬化）させるための紫外線を照射する光源である。仮硬化光源１３２Ａ，１３２Ｂと本硬化光源１３４Ａ，１３４Ｂが「活性エネルギー照射部」に相当する。
【００９８】
キャリッジ１３０上に配置されたインクジェットヘッド１２４、仮硬化光源１３２Ａ，１３２Ｂ及び本硬化光源１３４Ａ，１３４Ｂは、ガイド機構１２８に沿ってキャリッジ１３０とともに一体的に（一緒に）移動する。キャリッジ１３０の往復移動方向（Ｙ方向）が「主走査方向」、記録媒体１１２の搬送方向（Ｘ方向）が「副走査方向」に相当する。
【００９９】
記録媒体１１２には、紙、不織布、塩化ビニル、合成化学繊維、ポリエチレン、ポリエステル、ターポリンなど、材質を問わず、また、浸透性媒体、非浸透性媒体を問わず、様々な媒体を用いることができる。記録媒体１１２は、装置の背面側からロール紙状態（図１３参照）で給紙され、印字後は装置正面側の巻き取りロール（図１２中不図示、図３の符号１４４）で巻き取られる。プラテン１２６上に搬送された記録媒体１１２に対して、インクジェットヘッド１２４からインク滴が吐出され、記録媒体１１２上に付着したインク滴に対して仮硬化光源１３２Ａ，１３２Ｂ、本硬化光源１３４Ａ，１３４Ｂから紫外線が照射される。
【０１００】
図１２において、装置本体１２０の正面に向かって左側の前面に、インクカートリッジ１３６の取り付け部１３８が設けられている。インクカートリッジ１３６は、紫外線硬化型インクを貯留する交換自在なインク供給源（インクタンク）である。インクカートリッジ１３６は、本例のインクジェット記録装置１１０で使用される各色インクに対応して設けられている。色別の各インクカートリッジ１３６は、それぞれ独立に形成された不図示のインク供給経路によってインクジェットヘッド１２４に接続される。各色のインク残量が少なくなった場合にインクカートリッジ１３６の交換が行われる。
【０１０１】
また、図示を省略するが、装置本体１２０の正面に向かって右側には、インクジェットヘッド１２４のメンテナンス部が設けられている。該メンテナンス部は、非印字時におけるインクジェットヘッド１２４を保湿するためのキャップと、インクジェットヘッド１２４のノズル面（インク吐出面）を清掃するための払拭部材（ブレード、ウエブ等）が設けられている。インクジェットヘッド１２４のノズル面をキャッピングするキャップは、メンテナンスのためにノズルから吐出されたインク滴を受けるためのインク受けが設けられている。
【０１０２】
（記録媒体搬送路の説明）
図１３は、インクジェット記録装置１１０における記録媒体搬送路を模式的に示す説明図である。図１３に示すように、プラテン１２６は逆樋状に形成され、その上面が記録媒体１１２の支持面（媒体支持面）となる。プラテン１２６の近傍における記録媒体搬送方向（Ｘ方向）の上流側には、記録媒体１１２を間欠搬送するための記録媒体搬送手段である一対のニップローラ１４０が配設される。このニップローラ１４０は記録媒体１１２をプラテン１２６上で記録媒体搬送方向へ移動させる。
【０１０３】
ロール・ツー・ロール方式の媒体搬送手段を構成する供給側のロール（送り出し供給ロール）１４２から送り出された記録媒体１１２は、印字部の入り口（プラテン１２６の記録媒体搬送方向の上流側）に設けられた一対のニップローラ１４０によって、記録媒体搬送方向に間欠搬送される。インクジェットヘッド１２４の直下の印字部に到達した記録媒体１１２は、インクジェットヘッド１２４により印字が実行され、印字後に巻き取りロール１４４に巻き取られる。印字部の記録媒体搬送方向の下流側には、記録媒体１１２のガイド１４６が設けられている。
【０１０４】
印字部においてインクジェットヘッド１２４と対向する位置にあるプラテン１２６の裏面（記録媒体１１２を支持する面と反対側の面）には、印字中の記録媒体１１２の温度を調整するための温調部１５０が設けられている。印字時の記録媒体１１２が所定の温度となるように調整されると、記録媒体１１２に着弾したインク液滴の粘度や、表面張力等の物性値が所望の値になり、所望のドット径を得ることが可能となる。なお、必要に応じて、温調部１５０の上流側にプレ温調部１５２を設けてもよいし、温調部１５０の下流側にアフター温調部１５４を設けてもよい。
【０１０５】
（画像形成部の構成）
図１４は、キャリッジ１３０上に配置されるインクジェットヘッド１２４と仮硬化光源１３２Ａ，１３２Ｂ及び本硬化光源１３４Ａ，１３４Ｂの配置形態の例を示す平面透視図である。
【０１０６】
インクジェットヘッド１２４には、イエロー（Ｙ）、マゼンタ（Ｍ）、シアン（Ｃ）、黒（Ｋ）、ライトシアン（ＬＣ）、ライトマゼンタ（ＬＭ）、クリア（透明）インク（ＣＬ）、ホワイト（白）インク（Ｗ）の各色のインクごとに、それぞれ色のインクを吐出するためのノズル列１６１Ｙ、１６１Ｍ、１６１Ｃ、１６１Ｋ、１６１ＬＣ、１６１ＬＭ、１６１ＣＬ、１６１Ｗが設けられている。図１４ではノズル列を点線により図示し、ノズルの個別の図示は省略されている。また、以下の説明では、ノズル列１６１Ｙ、１６１Ｍ、１６１Ｃ、１６１Ｋ、１６１ＬＣ、１６１ＬＭ、１６１ＣＬ、１６１Ｗを総称して符号１６１を付してノズル列を表すことがある。
【０１０７】
インク色の種類（色数）や色の組み合わせについては本実施形態に限定されない。例えば、ＬＣ、ＬＭのノズル列を省略する形態、ＣＬやＷのノズル列のいずれか一方を省略する形態、メタルインクのノズル列を追加する形態、Ｗのノズル列に代わりメタルインクのノズル列を具備する形態、特別色のインクを吐出するノズル列を追加する形態などが可能である。また、色別のノズル列の配置順序も特に限定はない。ただし、複数のインク種のうち紫外線に対する硬化感度の低いインクを仮硬化光源１３２Ａ又は仮硬化光源１３２Ｂに近い側に配置する構成が好ましい。
【０１０８】
色別のノズル列１６１ごとにヘッドモジュールを構成し、これらを並べることによって、カラー描画が可能なインクジェットヘッド１２４を構成することができる。例えば、イエローインクを吐出するノズル列１６１Ｙを有するヘッドモジュール１２４Ｙと、マゼンタインクを吐出するノズル列１６１Ｍを有するヘッドモジュール１２４Ｍと、シアンインクを吐出するノズル列１６１Ｃを有するヘッドモジュール１２４Ｃと、黒インクを吐出するノズル列１６１Ｋを有するヘッドモジュール１２４Ｋと、ＬＣ、ＬＭ、ＣＬ、Ｗの各色のインクを吐出するノズル列１６１ＬＣ、１６１ＬＭ、１６１ＣＬ、１６１Ｗをそれぞれ有する各ヘッドモジュール１２４ＬＣ、１２４ＬＭ、１２４ＣＬ、１２４Ｗと、をキャリッジ１３０の往復移動方向（主走査方向、Ｙ方向）に沿って並ぶように等間隔に配置する態様も可能である。色別のヘッドモジュール１２４Ｙ、１２４Ｍ、１２４Ｃ、１２４Ｋ、１２４ＬＣ、１２４ＬＭ、１２４ＣＬ、１２４Ｗのモジュール群（ヘッド群）を「インクジェットヘッド」と解釈してもよいし、各モジュールをそれぞれ「インクジェットヘッド」と解釈することも可能である。或いはまた、１つのインクジェットヘッド１２４の内部で色別にインク流路を分けて形成し、１ヘッドで複数色のインクを吐出するノズル列を備える構成も可能である。
【０１０９】
各ノズル列１６１は、複数個のノズルが一定の間隔で記録媒体搬送方向（副走査方向、Ｘ方向）に沿って一列に（直線的に）並んだものとなっている。本例のインクジェットヘッド１２４は、各ノズル列１６１を構成するノズルの配置ピッチ（ノズルピッチ）が２５４μｍ（１００ｄｐｉ）、一列のノズル列１６１を構成するノズルの数は２５６ノズル、ノズル列１６１の全長Ｌｗ（ノズル列の全長）は約６５ｍｍ（２５４μｍ×２５５＝６４．８ｍｍ）である。駆動波形の変更によって１０ｐｌ（ピコリットル）、２０ｐｌ、３０ｐｌの３種類の吐出液滴量を打ち分けることができる。
【０１１０】
（作画モードについて）
本例に示すインクジェット記録装置１１０は、マルチパス方式の描画制御が適用され、印字パス数の変更によって印字解像度（記録解像度）を変更することが可能である。例えば、高生産モード、標準モード、高画質モードの３種類の作画モードが用意され、各モードでそれぞれ印字解像度が異なる。印刷目的や用途に応じて作画モードを選択することができる。
【０１１１】
（本硬化光源の構成例について）
図１５に示したように、本硬化光源１３４Ａ，１３４Ｂは、それぞれ複数個のＵＶ‐ＬＥＤ（Light Emitting Diode）素子１３５が並べられた構造を有している。２つの本硬化光源１３４Ａ，１３４Ｂは、共通の構成である。本例では、本硬化光源１３４Ａ，１３４Ｂとして、Ｙ方向に６個、Ｘ方向に２個のＵＶ‐ＬＥＤ素子１３５がマトリクス状に配置されたＬＥＤ素子配列（６×２）を例示したが、ＬＥＤ素子数及びその配列形態はこの例に限定されない。例えば、複数個のＬＥＤ素子をＹ方向に沿って一列に並べた構成も可能である。
【０１１２】
また、本硬化光源１３４Ａ，１３４Ｂの発光源としては、ＵＶ‐ＬＥＤ素子１３５に限らず、ＵＶランプなどを用いることも可能である。
【０１１３】
（仮硬化光源について）
仮硬化光源１３２Ａ，１３２Ｂについても、ＵＶ‐ＬＥＤ素子やＵＶランプを用いることができる。なお、複数個のＵＶ‐ＬＥＤ素子を用いる場合、ノズル列方向に沿ってＬＥＤを配列させる態様に限らず、仮硬化光源１３２Ａ，１３２Ｂのユニットの端面（上流側端面、又は下流側端面、若しくは、その両方の端面）にＬＥＤ素子を配置する形態もあり得る。
【０１１４】
（インクジェットヘッドの構造）
図１６（ａ）は、インクジェットヘッド１２４のノズル配置を示す平面透視図であり、一色分のノズル列１６１が図示されている。同図に示すように、一色分のノズル列１６１は、副走査方向（図１２に図示したＸ方向）に沿って一列にノズル１７０が配置されている。各ノズル１７０は吐出させるインクが収容される圧力室１７２（破線により図示）と連通している。なお、ノズル数やノズルの配列形態は特に限定されない。例えば、図１６（ｂ）に示すように、ノズル１７０を二列の千鳥配置させる態様も可能である。もちろん、ノズル列を３列以上配列させた二次元マトリクス配列などの形態も可能であり、実現すべきノズル密度に応じて様々なノズル配列を採用し得る。
【０１１５】
なお、インクジェットヘッド１２４の内部流路構造は図２で説明した構成と同様の構成とすることができる。すなわち、図１６（ａ）、（ｂ）のノズル１７０、圧力室１７２は、図２で説明したノズル２８、圧力室２６に相当する。
【０１１６】
（制御系の構成）
図１７は、インクジェット記録装置１１０の制御系の要部構成を示すブロック図である。同図に示すように、インクジェット記録装置１１０は、制御手段としての制御装置２０２が設けられている。
【０１１７】
制御装置２０２としては、例えば、中央演算処理装置（ＣＰＵ：central processing unit）を備えたコンピュータ等を用いることができる。制御装置２０２は、所定のプログラムに従ってインクジェット記録装置１１０の全体を制御する制御装置として機能するとともに、各種演算を行う演算装置として機能する。制御装置２０２には、記録媒体搬送制御部２０４、キャリッジ駆動制御部２０６、光源制御部２０８、画像処理部２１０、吐出制御部２１２、インク供給制御部２１３が含まれる。これらの各部は、ハードウエア回路又はソフトウエア、若しくはこれらの組み合わせによって実現される。
【０１１８】
記録媒体搬送制御部２０４は、記録媒体１１２（図１２参照）の搬送を行うための搬送駆動部２１４を制御する。搬送駆動部２１４は、図１３に示すニップローラ１４０を駆動する駆動用モータ、及びその駆動回路が含まれる。プラテン１２６（図１２参照）上に搬送された記録媒体１１２は、インクジェットヘッド１２４による主走査方向の往復走査（印刷パスの動き）に合わせて、副走査方向へ間欠送りされる。
【０１１９】
図１７に示すキャリッジ駆動制御部２０６は、キャリッジ１３０（図１２参照）を主走査方向に移動させるための主走査駆動部２１６を制御する。主走査駆動部２１６は、キャリッジ１３０の移動機構に連結される駆動用モータ、及びその制御回路が含まれる。光源制御部２０８は、ＬＥＤ駆動回路２１８を介して仮硬化光源１３２Ａ，１３２ＢのＵＶ‐ＬＥＤ素子の発光を制御するとともに、ＬＥＤ駆動回路２１９を介して本硬化光源１３４Ａ，１３４ＢのＵＶ‐ＬＥＤ素子の発光を制御する制御手段である。
【０１２０】
制御装置２０２は、操作パネル等の入力装置２２０、表示装置２２２が接続されている。入力装置２２０は、手動による外部操作信号を制御装置２０２へ入力する手段であり、例えば、キーボード、マウス、タッチパネル、操作ボタンなど各種形態を採用しうる。表示装置２２２には、液晶ディスプレイ、有機ＥＬディスプレイ、ＣＲＴなど、各種形態を採用し得る。オペレータは、入力装置２２０を操作することにより、作画モードの選択、印刷条件の入力や付属情報の入力・編集などを行うことができ、入力内容や検索結果等の各種情報は、表示装置２２２の表示を通じて確認することができる。
【０１２１】
また、インクジェット記録装置１１０には、各種情報を格納しておく情報記憶部２２４と、印刷用の画像データを取り込むための画像入力インターフェース２２６が設けられている。画像入力インターフェースには、シリアルインターフェースを適用してもよいし、パラレルインターフェースを適用してもよい。この部分には、通信を高速化するためのバッファメモリ（不図示）を搭載してもよい。
【０１２２】
画像入力インターフェース２２６を介して入力された画像データは、画像処理部２１０にて印刷用のデータ（ドットデータ）に変換される。ドットデータは、一般に、多階調の 画像データに対して色変換処理、ハーフトーン処理を行って生成される。色変換処理は、ｓＲＧＢなどで表現された画像データ（例えば、ＲＧＢ各色について８ビットの画像データ）をインクジェット記録装置１１０で使用するインク各色の色データに変換する処理である。
【０１２３】
ハーフトーン処理は、色変換処理により生成された各色の色データに対して、誤差拡散法や閾値マトリクス等の処理で各色のドットデータに変換する処理である。ハーフトーン処理の手段としては、誤差拡散法、ディザ法、閾値マトリクス法、濃度パターン法など、各種公知の手段を適用できる。ハーフトーン処理は、一般にＭ値（Ｍ≧３）の階調画像データをＮ値（Ｎ＜Ｍ）の階調画像データに変換する。最も簡単な例では、二値（ドットのオンオフ）のドット画像データに変換するが、ハーフトーン処理において、ドットサイズの種類（例えば、大ドット、中ドット、小ドットなどの３種類）に対応した多値の量子化を行うことも可能である。
【０１２４】
こうして得られた二値又は多値の画像データ（ドットデータ）は、各ノズルの駆動（オン）／非駆動（オフ）、さらに、多値の場合には液滴量（ドットサイズ）を制御するインク吐出データ（打滴制御データ）として利用される。
【０１２５】
吐出制御部２１２は、画像処理部２１０において生成されたドットデータに基づいて、ヘッド駆動回路２２８に対する吐出制御信号を生成する。また、吐出制御部２１２は、駆動波形生成部（図１の波形発生器１８に相当）を備えている。駆動波形生成部は、インクジェットヘッド１２４の各ノズルに対応した吐出エネルギー発生素子（本例では、ピエゾ素子）を駆動するための駆動電圧の電圧波形を生成する手段である。駆動波形データは、予め情報記憶部２２４に格納されており、必要に応じて使用される駆動波形データが出力される。駆動波形生成部から出力された駆動波形は、ヘッド駆動回路２２８に供給される。なお、駆動波形生成部から出力される信号はデジタル波形データであってもよいし、アナログ電圧信号であってもよい。
【０１２６】
ヘッド駆動回路２２８を介してインクジェットヘッド１２４に対して、共通の駆動電圧が供給され、各ノズルの吐出タイミングに応じて各吐出エネルギー発生素子の個別電極に接続されたスイッチ素子（不図示）のオンオフを切り換えることで、対応するノズルからインクが吐出される。吐出制御部２１２とヘッド駆動回路２２８の組み合わせが「駆動信号供給部」、「液体吐出ヘッドの駆動装置」に相当する。
【０１２７】
情報記憶部２２４は、制御装置２０２のＣＰＵが実行するプログラム、及び制御に必要な各種データなどが格納されている。情報記憶部２２４は、作画モードに応じた解像度の設定情報、パス数（スキャンの繰り返し数）、副走査送り量の制御に必要な送り量情報、仮硬化光源１３２Ａ，１３２Ｂ及び本硬化光源１３４Ａ，１３４Ｂの制御情報などが格納されている。
【０１２８】
エンコーダ２３０は、主走査駆動部２１６の駆動用モータ、及び搬送駆動部２１４の駆動用モータに取り付けられており、該駆動モータの回転量及び回転速度に応じたパルス信号を出力し、該パルス信号は制御装置２０２に送られる。エンコーダ２３０から出力されたパルス信号に基づいて、キャリッジ１３０の位置、及び記録媒体１１２（図１２参照）の位置が把握される。
【０１２９】
センサ２３２には各種の検出部が含まれる。例えば、用紙幅を検知するセンサは、キャリッジ１３０に取り付けられたおり、センサ２３２から得られたセンサ信号に基づいて記録媒体１１２の幅が把握される。
【０１３０】
インク供給制御部２１３は、インクジェットヘッド１２４に対するインクの供給を制御するとともに、インクジェットヘッド１２４の内圧（内部の圧力）を制御する圧力制御部として機能する。インク供給制御部２１３は、圧力調整部２４２を介してインクジェットヘッド１２４の内圧を調整する。圧力調整部２４２は、例えば、インク貯留部（ここでは、サブタンク）２４４を上下動させるタンク上下動装置、或いは、ポンプ、若しくはこれらの組み合わせなどで構成される。
【０１３１】
圧力検出部２４６は、インクジェットヘッド１２４の内圧を検出する手段である。圧力検出部２４６は、インクジェットヘッド１２４に設けられていてもよいし、インク貯留部２４４に設けられていてもよく、インクジェットヘッド１２４とインク貯留部２４４とを繋ぐ流路部に設けられていてもよい。圧力検出部２４６で検出された情報は、インク供給制御部２１３に通知され、インクジェットヘッド１２４の内部圧力の制御に利用される。既述のとおり、圧力調整部２４２を制御することにより、インクジェットヘッド１２４のノズル面に液膜層５２を形成することができる。
【０１３２】
＜実施形態の利点＞
（１）本実施形態によれば、親液ノズルを有するヘッドにおいて、噴射パルス（第１パルスＰ１）の後にメニスカス６２を吸引する非噴射パルス（第２パルスＰ２）を印加して、ノズル面３４上のインクを圧力室２６内に効果的に引き込むため、ノズル面３４を覆う液膜層５２のインク量の増加を抑制することができる。このため、液膜層５２の膜厚を所要の薄さに維持することができ、紫外線光源からの漏れ光（迷光）による液膜層５２の硬化が抑制される。
【０１３３】
（２）本実施形態によれば、親液性を有するノズル面３４に紫外線硬化型インクによる液膜層５２を形成した状態で吐出が行われるインクジェットヘッド１２、１２４について、ノズル面３４の液膜層５２を薄層化できるため、ノズル面３４上の液膜層が厚くなることに起因する不吐出の発生を抑制することができる。本実施形態によれば、不吐出ノズルが発生しにくく、安定した吐出を維持することができる。
【０１３４】
（３）また、親液ノズルを有するヘッドであるため、インクミストの付着、固化による吐出不良の発生を回避することができる。
【０１３５】
（４）さらに、ノズル面３４に液膜層５２が形成されているため、ノズルプレートのメンテナンスが容易である。すなわち、ブレードや払拭ウェブなどの払拭部材をノズル面３４に接触させてノズル面をワイピングする場合、ノズル面３４を覆う液膜層５２によってウエットワイピングになるので、ワイピングに対する耐久性が強い。
【０１３６】
＜変形例１＞
図８では、１つの噴射パルス（Ｐ１）と１つの非噴射パルス（Ｐ２）とを組み合わせた駆動波形を例示したが、発明の実施に際しては、噴射パルスと非噴射パルスのそれぞれのパルス数については特に制限はない。少なくとも１つの噴射パルスと、少なくとも１つの非噴射パルス（メニスカスを圧力室の方向に吸引するためのメニスカス引き込み波形）を含んでいればよい。噴射パルスと非噴射パルスとが交互に印加される構成であってもよいし、複数の噴射パルスを連続して印加した後に、１つの非噴射パルス（メニスカス引き込み波形）を印加する構成であってもよい。
【０１３７】
＜変形例２＞
図８では、電圧の上昇によって圧力室が拡張（減圧）され、電圧の下降によって圧力室が収縮（加圧）される引き押し波形を例示したが、圧電素子を構成する圧電体の分極方向によっては、基準電位から電圧を下げる電圧下降期間の波形部分によって圧力室を膨張させてメニスカスを引き込む「引き（pull）」の動作を行い、電圧を上昇させる電圧上昇期間の波形部分によって圧力室を収縮させる「押し（push）」の動作を行う構成を採用することも可能である。
【０１３８】
＜変形例３＞
図１２から図１７で説明したインクジェット記録装置では、紫外線照射部として、仮硬化光源と、本硬化光源とを備える例を示したが、仮硬化光源を省略する形態も可能である。また、或いはまた、図１４、１５の仮硬化光源１３２Ａ，１３２Ｂの位置に本硬化光源を搭載する形態も可能である。
【０１３９】
＜変形例４＞
上述の実施形態では、インクジェットヘッドを往復移動させながら描画行うシリアル方式のインクジェット記録装置を例示したが、ラインヘッドを用いるシングルパス印字方式のインクジェット記録装置についても本発明を適用可能である。
【０１４０】
＜変形例５＞
上述の実施形態では、紫外線硬化型インクを例示したが、本発明の適用範囲はこれに限定されない。例えば、電子線の照射によって硬化する電子性硬化型インク（いわゆる、ＥＢインク）を用いるヘッドなど、活性エネルギー硬化型の液体を吐出する液体吐出ヘッド及びこれを用いるシステムについて広く応用することができる。
【０１４１】
＜本発明の応用例について＞
上記の実施形態では、グラフィック印刷用のインクジェット記録装置への適用を例に説明したが、本発明の適用範囲はこの例に限定されない。例えば、電子回路の配線パターンを描画する配線描画装置、各種デバイスの製造装置、吐出用の機能性液体として樹脂液を用いるレジスト印刷装置、カラーフィルター製造装置、マテリアルデポジション用の材料を用いて微細構造物を形成する微細構造物形成装置など、液状機能性材料を用いて様々な形状やパターンを描画する液体吐出装置、インクジェットシステムに広く適用できる。
【０１４２】
本発明は以上説明した実施形態に限定されるものではなく、本発明の技術的思想内で当該分野の通常の知識を有するものにより、多くの変形が可能である。
【符号の説明】
【０１４３】
１０…液体吐出装置、１２…インクジェットヘッド、１４…駆動装置、１６…圧電アクチュエータ、１８…波形発生器、２０…信号発生部、２２…信号選択部、２６…圧力室、２７…圧電素子、２８…ノズル、３２…共通流路、３４…ノズル面、３６…ノズルプレート、４０…振動板、４６…圧電体、５０…インク、５２…液膜層、６２…メニスカス、１１０…インクジェット記録装置、１２４…記録媒体、１２４…インクジェットヘッド、１３０…キャリッジ、１３２Ａ，１３２Ｂ…仮硬化光源、１３４Ａ，１３４Ｂ…本硬化光源、２０２…制御装置、２０６…キャリッジ駆動制御部、２１２…吐出制御部、２１３…インク供給制御部、２１６…走査駆動部、２２８…ヘッド駆動回路、２４２…圧力調整部、２４４…インク貯留部、２４６…圧力検出部、Ｐ１…第１パルス（噴射パルス）、Ｐ２…第２パルス（非噴射パルス）
【図１】
2014069310.tif 000003
【図２】
2014069310.tif 000004
【図３】
2014069310.tif 000005
【図４】
2014069310.tif 000006
【図５】
2014069310.tif 000007
【図６】
2014069310.tif 000008
【図７】
2014069310.tif 000009
【図８】
2014069310.tif 000010
【図９】
2014069310.tif 000011
【図１０】
2014069310.tif 000012
【図１１】
2014069310.tif 000013
【図１２】
2014069310.tif 000014
【図１３】
2014069310.tif 000015
【図１４】
2014069310.tif 000016
【図１５】
2014069310.tif 000017
【図１６】
2014069310.tif 000018
【図１７】
2014069310.tif 000019